(57)【特許請求の範囲】
【請求項１】
地雷原に埋没する地雷を爆破処理して除去する地雷除去装置であって、
互いに時間をずらして発射される２発のロケット弾を備え、
前記２発のロケット弾のうちの先に発射される先発ロケット弾は、複数個の爆薬ブロックと、一端側が該先発ロケット弾に連結されて前記複数の爆薬ブロックを適宜間隔をおいて直列に繋ぐ連結索を具備し、
前記２発のロケット弾のうちの後に発射される後発ロケット弾には、前記先発ロケット弾の連結索の他端側が連結され、
前記後発ロケット弾は、前記先発ロケット弾の複数の爆薬ブロックを直列に繋ぐ前記連結索を牽引しながら飛翔し、
前記先発ロケット弾は、前記後発ロケット弾が前記複数の爆薬ブロックを直列に繋ぐ前記連結索を牽引しながら飛翔する段階でアンカーとして機能する
ことを特徴とする地雷除去装置。
【請求項２】
前記先発ロケット弾は、前記地雷原における前記発射地点に近い部位に弾着してアンカーとして機能する請求項１に記載の地雷除去装置。
【請求項３】
請求項１又は２に記載の地雷除去装置によって、地雷原に埋没する地雷を除去するに際して、
前記先発ロケット弾を発射するのに続いて地雷原近傍位置に弾着させて、該先発ロケット弾の弾着地点と前記後発ロケット弾との間に前記複数の爆薬ブロックを直列に繋いだ連結索を敷き、
次いで、前記先発ロケット弾が敷いた連結索の他端側と連結する前記後発ロケット弾を発射して、前記連結索により直列に繋がれた複数の爆薬ブロックを順次引き上げながら飛翔させ、
前記後発ロケット弾が前記先発ロケット弾の弾着点を越えた段階から、前記連結索により直列に繋がれた複数の爆薬ブロックを順次着地させつつ前記後発ロケット弾を前記地雷原に弾着させた後、
この後発ロケット弾の弾着地点と前記先発ロケット弾との間に展開した前記複数の爆薬ブロックをそれぞれ爆発させ、前記地雷原に埋没する地雷を誘爆させて除去する
ことを特徴とする地雷除去方法。
【発明の詳細な説明】
【技術分野】
【０００１】
本発明は、地雷原に埋没する地雷を爆破処理して除去するのに用いられる地雷除去装置及び地雷除去方法に関するものである。
【背景技術】
【０００２】
従来、上記したような地雷除去装置としては、例えば、特許文献１に記載された地雷除去弾がある。
この地雷除去弾は、連結索により適宜間隔をおいて直列に繋がれて同期起爆可能とした複数の爆薬ブロックと、連結索の一端が連結されると共に複数の爆薬ブロックが収容される円筒状を成すコンテナと、このコンテナの周囲に配置された複数のロケットモータを備えている。この地雷除去弾において、連結索で繋がれた複数の爆薬ブロックを地雷原で直線状に展開させる手段として、連結索と発射地点との間に係留索を配置したり、複数の爆薬ブロックのうちの最後方の爆薬ブロックに空気抵抗体を配置したりする手段が採用されている。
【０００３】
この地雷除去弾は、地雷が多数埋没された地雷原に向けて発射され、目標飛距離に到達した時点でコンテナに収容した複数の爆薬ブロックを空中に放出する。
そして、このように放出されて互いに連結索により直列に繋がれた複数の爆薬ブロックが地雷原で直線状に展開した後に、複数の爆薬を一斉に爆発させることで地雷原の埋没地雷を誘爆させて除去するようになっている。
【先行技術文献】
【特許文献】
【０００４】
【特許文献１】特公昭63-064718号公報
【発明の概要】
【発明が解決しようとする課題】
【０００５】
ところが、上記した従来の地雷除去弾は、地雷原に多数埋没された地雷を除去するにあたって複数発携行される都合上、一発あたりの重量が制限される。つまり、上記した地雷除去弾において、一発あたりの地雷除去能力を維持するためには推進薬の搭載量を増やせないことから、飛翔距離を伸ばすことができず、遠方に位置する地雷原の地雷を除去することができないという問題を有しており、この問題を解決することが従来の課題となっていた。
【０００６】
本発明は、上記した従来の課題に着目してなされたもので、近づかなくては除去し得なかった地雷原の地雷を遠方にいながらにして除去することが可能である地雷除去装置及び地雷除去方法を提供することを目的としている。
【課題を解決するための手段】
【０００７】
本発明の請求項１に係る発明は、地雷原に埋没する地雷を爆破処理して除去する地雷除去装置であって、互いに時間をずらして発射される２発のロケット弾を備え、前記２発のロケット弾のうちの先に発射される先発ロケット弾は、複数個の爆薬ブロックと、一端側が該先発ロケット弾に連結されて前記複数の爆薬ブロックを適宜間隔をおいて直列に繋ぐ連結索を具備し、前記２発のロケット弾のうちの後に発射される後発ロケット弾には、前記先発ロケット弾の連結索の他端側が連結され、前記後発ロケット弾は、前記先発ロケット弾の複数の爆薬ブロックを直列に繋ぐ前記連結索を牽引しながら飛翔し、前記先発ロケット弾は、前記後発ロケット弾が前記複数の爆薬ブロックを直列に繋ぐ前記連結索を牽引しながら飛翔する段階でアンカーとして機能する構成としたことを特徴としており、この構成の地雷除去装置を前述の従来の課題を解決するための手段としている。
【０００９】
本発明の請求項２に係る地雷除去装置において、前記先発ロケット弾は、前記地雷原における前記発射地点に近い部位に弾着してアンカーとして機能する構成としている。なお、先発ロケット弾の弾着位置は、処理する地雷原の大きさに基づいて任意に設定することができる。
【００１０】
一方、本発明の請求項３に係る発明は、請求項１又は２に記載の地雷除去装置によって、地雷原に埋没する地雷を除去するに際して、前記先発ロケット弾を発射するのに続いて地雷原近傍位置に弾着させて、該先発ロケット弾の弾着地点と前記後発ロケット弾との間に前記複数の爆薬ブロックを直列に繋いだ連結索を敷き、次いで、前記先発ロケット弾が敷いた前記連結索の他端側と連結する前記後発ロケット弾を発射して、前記連結索により直列に繋がれた複数の爆薬ブロックを順次引き上げながら飛翔させ、前記後発ロケット弾が前記先発ロケット弾の弾着点を越えた段階から、前記連結索により直列に繋がれた複数の爆薬ブロックを順次着地させつつ前記後発ロケット弾を前記地雷原に弾着させた後、この後発ロケット弾の弾着地点と前記先発ロケット弾との間に展開した前記複数の爆薬ブロックをそれぞれ爆発させ、前記地雷原に埋没する地雷を誘爆させて除去する構成としている。
【００１１】
本発明に係る地雷除去装置において、先発ロケット弾の連結索には、特に限定しないが柔軟なワイヤロープやナイロンロープを用いることができ、軽量で且つ高強度のものを採用することが望ましい。
【００１２】
また、本発明に係る地雷除去装置において、先発ロケット弾における複数の爆薬ブロックの起爆は、先発ロケット弾及び後発ロケット弾のいずれかに搭載したタイマ付き起爆装置により行ってもよいし、遠隔操作によって行ってもよい。
【００１３】
本発明に係る地雷除去装置及び地雷除去方法では、地雷原に埋没する地雷を除去する場合、まず、先発ロケット弾を発射して地雷原近傍位置に弾着させ、この先発ロケット弾の弾着地点と発射前の後発ロケット弾との間に複数の爆薬ブロックを直列に繋いだ連結索を敷く。
【００１４】
これに続いて、後発ロケット弾を地雷原に向けて発射すると、この後発ロケット弾には先発ロケット弾が敷いた前記連結索の他端側が連結されているので、後発ロケット弾は、連結索によって直列に繋がれた複数の爆薬ブロックを順次引き上げながら飛翔する。
【００１５】
そして、後発ロケット弾が先発ロケット弾の弾着点を越えて弾着体勢に入り、この後発ロケット弾が弾着するのに続いて、前記連結索により直列に繋がれた複数の爆薬ブロックが順次着地する。
【００１６】
この弾着した後発ロケット弾と先発ロケット弾との間には、先発ロケット弾の連結索で繋がれた複数の爆薬ブロックが展開しており、これらの爆薬ブロックを一斉に爆発させると、この地雷原に埋没する地雷が誘爆して除去されることとなる。
【００１７】
このように、本発明に係る地雷除去装置及び地雷除去方法において、後発ロケット弾には、先発ロケット弾の複数の爆薬ブロックを直列に繋ぐ連結索の他端側が連結されているだけなので、推進薬を余分に搭載し得ることとなる。つまり、後発ロケット弾は、複数の爆薬ブロックを直列に繋ぐ前記連結索を牽引しつつ、先発ロケット弾の弾着点を越えて飛翔して、先発ロケット弾よりも遠方に複数の爆薬ブロックを展開させ得ることとなり、その結果、近づかなくては除去し得なかった遠方の地雷原の地雷を除去し得ることとなる。
【００１８】
この際、後発ロケット弾が複数の爆薬ブロックを直列に繋いだ前記連結索を牽引しながら飛翔する段階において、先発ロケット弾をアンカーとして機能させる。例えば、地雷原の発射地点に近い部位に弾着させた先発ロケット弾をアンカーとして機能させるようになすと、発射地点から発射された後発ロケット弾を単に先発ロケット弾よりも遠方に弾着させる場合と比較して、先発ロケット弾をアンカーとする分だけ風の影響を少なく抑え得ることとなり、したがって、飛翔距離が伸びることとなる。
【発明の効果】
【００１９】
本発明の請求項１に係る地雷除去装置及び請求項３に係る地雷除去方法では、上記した構成としているので、複数の爆薬ブロックを搭載した従来のロケット弾と比較して、より遠方に複数の爆薬ブロックを展開させることができ、その結果、近づかなくては除去し得なかった地雷原の地雷を遠方にいながらにして除去することが可能になるという非常に優れた効果がもたらされる。
【００２０】
また、本発明の請求項１に係る地雷除去装置では、上記した構成としているので、風の影響を少なく抑え得る分だけ、より一層遠方に複数の爆薬ブロックを展開させることができ、本発明の請求項２に係る地雷除去装置では、複数の爆薬ブロックを地雷原で確実に展開させることが可能であるという非常に優れた効果がもたらされる。
【図面の簡単な説明】
【００２１】
【図１】本発明の一実施例による地雷除去装置の先発ロケット弾側を断面で示した側面説明図（ａ）及び後発ロケット弾側を断面で示した部分側面説明図（ｂ）である。
【図２】図１の地雷除去装置による地雷除去要領を示す先発ロケット弾の発射時における斜視説明図である。
【図３】図１の地雷除去装置による地雷除去要領を示す後発ロケット弾の発射時における斜視説明図である。
【発明を実施するための形態】
【００２２】
以下、本発明に係る地雷除去装置及び地雷除去方法を図面に基づいて説明する。
図１〜図３は、本発明に係る地雷除去装置及び地雷除去方法の一実施例を示している。
【００２３】
図１に示すように、この地雷除去装置１は、移動ランチャ２の２本のキャニスタ３，３に収納された２発のロケット弾１０Ａ，１０Ｂを備えており、これらのロケット弾１０Ａ，１０Ｂは、いずれも円筒状を成すコンテナ１１と、このコンテナ１１の周囲に配置された複数のロケットモータ１２を具備している。
【００２４】
上記２発のロケット弾１０Ａ，１０Ｂは、互いに時間をずらして発射されるようになっている。先に発射される先発ロケット弾１０Ａは、図１（ａ）に示すように、複数個の爆薬ブロック１４と、一端側がコンテナ１１に連結されて複数の爆薬ブロック１４を適宜間隔をおいて直列に繋ぐ連結索１５を具備しており、複数の爆薬ブロック１４は連結索１５とともにコンテナ１１に収容され、同期起爆可能となっている。
【００２５】
一方、２発のロケット弾１０Ａ，１０Ｂのうちの後に発射される後発ロケット弾１０Ｂのコンテナ１１には、図１（ｂ）に示すように、複数の爆薬ブロック１４を直列に繋ぐ前記連結索１５の他端側が連結されている。この連結索１５は、図１（ａ），（ｂ）における（※）で接続している。
【００２６】
上記した地雷除去装置１では、地雷原に埋没する地雷を除去する場合、まず、図２に一点鎖線で示すように、ロットモータ１２を作動させて移動ランチャ２から先発ロケット弾１０Ａを地雷原Ｘに向けて発射する。このとき、先発ロケット弾１０Ａの弾着位置は、発射前の段階で地雷原Ｘの移動ランチャ２に近い部位に設定される。
【００２７】
この先発ロケット弾１０Ａの発射により、複数の爆薬ブロック１４を直列に繋いだ連結索１５がコンテナ１１から引き出され、図２に実線で示すように、先発ロケット弾１０Ａが地雷原Ｘの移動ランチャ２に近い部位に弾着すると、この弾着した先発ロケット弾１０Ａと移動ランチャ２における発射前の後発ロケット弾１０Ｂとの間に、複数の爆薬ブロック１４を直列に繋いだ連結索１５が敷かれることとなる。
【００２８】
これに続いて、図３に一点鎖線で示すように、ロットモータ１２を作動させて移動ランチャ２から後発ロケット弾１０Ｂを地雷原Ｘに向けて発射する。この際、この後発ロケット弾１０Ｂには先発ロケット弾１０Ａが敷いた連結索１５の他端側が連結されているので、後発ロケット弾１０Ｂは、図３に二点鎖線で示すように、連結索１５によって直列に繋がれた複数の爆薬ブロック１４を順次引き上げながら飛翔する。
【００２９】
そして、後発ロケット弾１０Ｂが先発ロケット弾１０Ａの弾着点を越えて弾着体勢に入り、この後発ロケット弾１０が地雷原Ｘに弾着するのに続いて、連結索１５により直列に繋がれた複数の爆薬ブロック１４が地雷原Ｘに順次着地する。
【００３０】
この弾着した後発ロケット弾１０Ｂと先発ロケット弾１０Ａとの間には、図３に細線で示すように、先発ロケット弾１０Ａの連結索１５で繋がれた複数の爆薬ブロック１４が展開しており、これらの爆薬ブロック１４を一斉に爆発させると、この地雷原Ｘに埋没する地雷が誘爆して除去されることとなる。
【００３１】
このように、上記した地雷除去装置１及び地雷除去方法において、後発ロケット弾１０Ｂには、先発ロケット弾１０Ａの複数の爆薬ブロック１４を直列に繋ぐ連結索１５の他端側が連結されているだけなので、推進薬を余分に搭載し得ることとなる。つまり、後発ロケット弾１０Ｂは、複数の爆薬ブロック１４を直列に繋ぐ前記連結索１５を牽引しつつ、先発ロケット弾１０Ａの弾着点を越えて飛翔して、先発ロケット弾１０Ａよりも遠方に複数の爆薬ブロック１４を展開させ得ることとなり、その結果、近づかなくては除去し得なかった遠方の地雷原Ｘの地雷を除去し得ることとなる。
【００３２】
また、上記した地雷除去装置１及び地雷除去方法において、先発ロケット弾１０Ａを地雷原Ｘの移動ランチャ２に近い部位に弾着させるようにしているので、複数の爆薬ブロック１４を地雷原Ｘで確実に展開させ得ることとなる。
【００３３】
この際、後発ロケット弾１０Ｂが先発ロケット弾１０Ａの弾着点を越えて飛翔する段階において、先発ロケット弾１０Ａをアンカーとして機能させるようになすと、移動ランチャ２から発射された後発ロケット弾１０Ｂを単に先発ロケット弾１０Ａよりも遠方に弾着させる場合と比較して、風の影響を少なく抑え得ることとなり、したがって、後発ロケット弾１０Ｂの飛翔距離が伸びることとなる。
【００３４】
本発明に係る地雷除去装置及び地雷除去方法の構成は、上記した実施例に限定されるものではない。
【符号の説明】
【００３５】
１  地雷除去装置
１０Ａ  先発ロケット弾
１０Ｂ  後発ロケット弾
１４  爆薬ブロック
１５  連結索
Ｘ  地雷原
【図１】
0005728176.tif 000002
【図２】
0005728176.tif 000003
【図３】
0005728176.tif 000004